(57)【要約】【課題】安全かつ安心して現金回収作業を行うことができ、かつ容易に現金回収作業を行う。【解決手段】撮影装置１０は筐体２０と、筐体２０内を撮影空間２０Ａと収納空間２０Ｂに区画する開閉扉２１とを備えている。収納空間２０Ｂに、開閉扉２１を撮影空間２０Ａ側へ回動して開とした際、撮影空間２０Ａの座部２５に座る作業者側へ引き出される作業台３８を設けた。【選択図】図１
2019056842.tif 000002
【特許請求の範囲】
【請求項１】
筐体と、
前記筐体内に設けられ、前記筐体内を撮影空間と、少なくとも撮影装置とプリンタと、課金設備とを収納する収納空間とに区画する回動自在の開閉扉とを備え、
前記撮影空間に座部が設けられ、
前記収納空間に、前記開閉扉を前記撮影空間側へ回動して開とした際、前記座部に座る作業者側へ引き出し可能な作業台を設けた、撮影装置。
【請求項２】
前記収納空間に、前記筐体の内壁から水平方向に延びる支持レールが設けられ、前記作業台は支持レール上を走行自在となる請求項１記載の撮影装置。
【請求項３】
前記収納空間に、メディア収納ボックスが設けられ、前記作業台はこのメディア収納ボックスに引き出し可能に設けられている、請求項１に記載の撮影装置。
【請求項４】
筐体と、
前記筐体内に設けられ、前記筐体内を撮影空間と、少なくとも撮影装置とプリンタと課金設備とを収納する収納空間とに区画する回動自在の開閉扉とを備え、
前記撮影空間に座部が設けられ、
前記収納空間に、前記開閉扉を前記撮影空間側へ移動して開とした際、前記座部に座る作業者側へ拡がる折り畳み自在の作業台を設けた撮影装置。
【請求項５】
前記収納空間に垂直方向に延びる支柱が設けられ、前記折り畳み自在の作業台はこの支柱に取付けられ、前記支柱に折り畳まれる垂直方向位置と、水平方向に拡げられる水平方向位置とを取る、
請求項４に記載の撮影装置。
【請求項６】
課金設備は、前記開閉扉の前記収納空間側の面に取り付けられている請求項１乃至５のいずれか記載の撮影装置。
【発明の詳細な説明】
【技術分野】
【０００１】
本発明は、撮影装置に係り、とりわけ現金回収作業を容易に行うことができる撮影装置に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体が撮影されるとともに、得られた被写体画像がプリントされる。
【０００３】
そして、例えば、プリクラや証明写真ボックスなどのセルフポートレイト撮影機として筐体と、筐体内を撮影空間と、カメラ、プリンタおよび課金設備等を収納する収納空間とに区画する開閉扉とを有するものが知られている。
【０００４】
このような従来の写真撮影装置においては、一定の期間毎に作業者が筐体内に入り、開閉扉を開き、収納空間内の課金設備から現金を回収している。この現金回収の際、作業者は筐体内の床面に必要な書類等を置いて、現金回収の記録を付けている。
【先行技術文献】
【特許文献】
【０００５】
【特許文献１】特許第４６５０６７１号
【発明の概要】
【発明が解決しようとする課題】
【０００６】
しかしながら、作業者が書類等を筐体の床面に置いて現金回収時の記録をする作業は煩雑である。また一般に作業者は筐体外方に居て、筐体外方から筐体の床面上に置いた書類に記録するため、作業者は外方に背を向けて作業をすることになり、防犯上も問題である。
【０００７】
そこで、本発明は、このような点を考慮してなされたものであり、安全かつ安心して現金回収作業を行うことができ、かつ現金回収作業を容易に行うことができる撮影装置を提供することを目的とする。
【課題を解決するための手段】
【０００８】
本発明は、筐体と、前記筐体内に設けられ、前記筐体内を撮影空間と、少なくとも撮影装置とプリンタと課金設備とを収納する収納空間とに区画する回動自在の開閉扉とを備え、前記撮影空間に座部が設けられ、前記収納空間に、前記開閉扉を前記撮影空間側へ回動して開とした際、前記座部に座る作業者側へ引き出し可能な作業台を設けた、撮影装置である。
【０００９】
本発明は、前記収納空間に、前記筐体の内壁から水平方向に延びる支持レールが設けられ、前記作業台は支持レール上を走行自在となる撮影装置である。
【００１０】
本発明は、前記収納空間に、メディア収納ボックスが設けられ、前記作業台はこのメディア収納ボックスに引き出し可能に設けられている、撮影装置である。
【００１１】
本発明は、筐体と、前記筐体内に設けられ、前記筐体内を撮影空間と、少なくとも撮影装置とプリンタと課金設備とを収納する収納空間とに区画する回動自在の開閉扉とを備え、前記撮影空間に座部が設けられ、前記収納空間に、前記開閉扉を前記撮影空間側へ移動して開とした際、前記座部に座る作業者側へ拡がる折り畳み自在の作業台を設けた撮影装置である。
【００１２】
本発明は、前記収納空間に垂直方向に延びる支柱が設けられ、前記折り畳み自在の作業台はこの支柱に取付けられ、前記支柱に折り畳まれる垂直方向位置と、水平方向に拡げられる水平方向位置とを取る、撮影装置である。
【００１３】
本発明は、課金設備は、前記開閉扉の前記収納空間側の面に取り付けられている撮影装置である。
【発明の効果】
【００１４】
以上のように本発明によれば、安全かつ安心して現金回収作業を行うことができ、かつ現金回収作業を容易に実行することができる。
【図面の簡単な説明】
【００１５】
【図１】図１は、本実施の形態による写真撮影装置の各構成部分の配置の一例を示す側面図である。
【図２】図２は、写真撮影装置の上面図である。
【図３】図３は、本実施の形態による写真撮影装置のシステム構成の一例を示す図である。
【図４】図４は、図１および図２に示す写真撮影装置の外観の一例を示す図である。
【図５】図５は、本実施の形態の変形例を示す側面図である。
【図６】図６は、本実施の形態の変形例を示す側面図である。
【図７】図７は、本実施の形態の変形例を示すメディアボックスの斜視図である。
【図８】図８は、本実施の形態の変形例を示すメディアボックスの斜視図である。
【発明を実施するための形態】
【００１６】
＜発明の実施の形態＞
以下、図面を参照して本発明の実施の形態について説明する。
【００１７】
また、ここで図１は、本実施の形態による写真撮影装置に作業者Ｐが位置した場合の各構成部分の配置の一例を示す図である。また、図２は、図１に示す写真撮影装置の上面図である。また図３は、写真撮影装置のシステム構成の一例を示す図である。また、図４は、図１および図２に示す写真撮影装置の外観の一例を示す図である。
【００１８】
なお、図１においては、簡単のため、Ｉ／Ｏユニット３１は省略されている。
【００１９】
図１乃至図４に示すように、本発明による写真撮影装置（単に撮影装置ともいう）１０は筐体２０と、筐体２０内を撮影空間２０Ａと収納空間２０Ｂとに区画する回動自在の開閉扉２１とを備えている。このうち筐体２０はその一側に出入口２０ａを有し、筐体２０の内壁のうち出入口２０ａと反対側の部分に開閉扉２１用のヒンジ２１ａが垂直方向に延びて設けられている。そして開閉扉２１は、このヒンジ２１ａを介して回動可能となっており、開閉扉２１は筐体２０内を撮影空間２０Ａと収納空間２０Ｂとに明確に区画する閉位置と、この閉位置から撮影空間２０Ａ側へ回動する開位置とを取ることができる。
【００２０】
また筐体２０の撮影空間２０Ａ内には、被写体が座る座部２５と、ストロボユニットＳとが設けられている。
【００２１】
さらに筐体２０の収納空間２０Ｂ内には、筐体２０の内壁２０ａに沿って、下方から上方へ向かって順に、メディア収納ボックス１８と、プリンタ１７と、電源ユニット１９と、カメラ（撮影装置）１２と、制御部１１とが設けられている。このうちプリンタ１７はカメラ１２で撮影した写真をメディアにプリントするものであり、メディア収納ボックス１８はプリンタ１７で使用するメディアがなくなった場合に補充する補充用メディアを収納するものである。また制御部１１は、後述のように写真撮影装置１０全体を制御するものである。また収納空間２０Ｂのメディア収納ボックス１８およびプリンタ１７の手前側には垂直方向に延びる支柱３５が設けられている。
【００２２】
さらに筐体２０の収納室内２０Ｂ内には、開閉扉２１の収納空間２０Ｂ側の面に、下方から上方へ向かって順に、スピーカ２２と、表示状態および操作機能をもったモニタ１４と、検知センサ１３と、課金設備２３と、ストロボユニットＳとが設けられている。
【００２３】
このうちモニタ１４は被写体に対して撮影した写真を表示する機能と、被写体であるユーザが必要な操作を実行する操作機能とを有する。
【００２４】
さらに課金設備２３は、開閉扉２１の収納空間２１Ｂ側の面のうち、ヒンジ２１ａ側に寄った位置に取付けられている。写真撮影装置１０の稼働時間が一定の時間を経過すると、作業者Ｐが開閉扉２１を開とし、開閉扉２１の収納空間２１Ｂ側の面に設けられた課金設備２３を開放し、課金設備２３内に収納されていた現金を回収する。このとき、同時に作業者は、書類に現金回収に関する記録をつける。
【００２５】
なお課金設備２３は、図示はしないが硬貨や紙幣の入金口、釣銭の返金口を有し、課金設備は入金口から入金された金額を検出して釣銭の金額を算出し、算出された釣銭金額分の硬貨又は紙幣を返金口に排出して料金精算を行う。
【００２６】
上述のように作業者Ｐは、課金設備２３から現金の回収を行うが、この場合、必要な釣銭を残した上で現金の回収を行なって、書類等に必要な記録を付ける。
【００２７】
また、図４に示すように、筐体２０の外面には、プリンタ１７によりプリントされた写真印刷物を取り取出口２０ｃと、上述のようにユーザーが筐体２０内部に出入する出入口２０ａが設けられている。
【００２８】
また、図４に示すように、出入口２０ａには、写真撮影を行う際に外部からの光を遮断する遮光カーテン２０ｂが取り付けられている。
【００２９】
そして、図１に示すように、撮影空間２０Ａに設けられた座部２５は、ユーザーの高さに応じて昇降可能となっている。
【００３０】
上述のように、写真撮影装置１０の稼働時間が一定の時間を経過すると、作業者Ｐが開閉扉２１を開いて、開閉扉２１の収納空間２１Ｂ側の面に設けられた課金設備２３から現金を回収している。この場合、作業者Ｐが現金回収作業を安全にかつ安心して行うことができるよう、作業者Ｐは筐体２０内に入り、撮影空間２０Ａ内の座部２５上に座ることができる。また収納空間２１Ｂに筐体２０の内壁２０ａから水平方向に延びる一対の支持レール３７、３７が設けられ、この一対の支持レール３７、３７上に、撮影空間２０Ａ内の座部２５上に座る作業者Ｐ側へ引き出し可能となる作業台３８が走行自在に設けられている。
【００３１】
上述のように通常稼動時において、作業台３８は支持レール３７、３７上を走行して筐体２０の内壁２０ａ側へ引っ込む。そして現金回収時には作業者Ｐが筐体２０内に入り開閉扉２１を開く。そして開閉扉２１の収納容器２１Ｂ側の面に設けられた課金設備２３から現金を回収する。この際、作業者Ｐは一対の支持レール３７、３７上で書類等を拡げて現金回収の記録を付けることができる。
【００３２】
次に写真撮影装置１０の各構成部分について、更に詳述する。
【００３３】
図１および図２に示すように、開閉扉２１には撮影窓２１ｂが設けられ、収納空間２０Ｂに設けられたカメラ１２は、この撮影窓２１ｂを介して図示しない被写体（ユーザー）を撮影して画像情報を得る。またプリンタ１７はこの画像情報に対応する被写体画像をプリントしてユーザーに証明写真を提供する。
【００３４】
なお「画像情報」とは、撮影により得られた被写体画像の電子情報のことである。
【００３５】
また、撮影窓２１ｂの下方には、ユーザーが撮影空間２０Ａ内に入ってきたことを検知する検知センサ１３が設けられている。
【００３６】
そして、ユーザーの入室が検知センサ１３により検知されると、モニタ１４およびスピーカ２２によるガイダンスを開始する。
【００３７】
次に制御部１１について述べる。制御部１１は、ＣＰＵ（Central Processing Unit）、ＲＡＭ（Random Access Memory）等から構成される。
【００３８】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３９】
また、撮影部であるカメラ１２は、光学レンズ、ＣＣＤ（Charge Coupled Device）等の光学センサ、Ａ／Ｄ（Analog/Digital）変換部等で構成されている。
【００４０】
このカメラ１２は、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００４１】
撮影部であるカメラ１２は、上述のように筐体２０の内壁２０ａに設けられ、撮影空間２０Ａ内に位置するユーザーを撮影して画像情報を得るようになっている。
【００４２】
また、検知センサ１３は、筐体２０の撮影空間２０Ａ内にユーザーが入室したことを検知する光学センサであり、その検知信号を制御部１１に出力するようになっている。
【００４３】
また、操作機能をもつモニタ１４は、ユーザーが撮影に関する操作入力をするためのものである。
【００４４】
このモニタ１４は、写真種類を選択するための写真種選択スイッチ、撮影開始を指示するための撮影スイッチ、撮影画像のプリント出力を指示するためのプリントスイッチ等の各種機能キーを備える。
【００４５】
またモニタ１４は後述のように表示機能をも併せもっており、タッチパネルからなる。このモニタ１４は、操作されたキーに対応する操作信号を制御部１１に出力するようになっている。
【００４６】
すなわちモニタ１４は操作手順やその他撮影に関するガイド映像等を表示するＬＣＤ表示部を有する。
【００４７】
このＬＣＤ表示部は、ＬＣＤ（Liquid Crystal Display）の画面を備える。
【００４８】
このＬＣＤ表示部は、制御部１１からの制御信号に従って、撮影手順を説明するガイド画面、写真種類を選択するための選択画面等の各種操作画面や、カメラ（撮像装置）Ｃにより撮影されたユーザーの顔画像等を表示する。
【００４９】
また、ＬＣＤ表示部は、既述のように、撮影に関する情報をユーザーに向けて表示するとともに、ユーザーが撮影に関する操作入力を行うようになっている。
【００５０】
モニタ１４はカメラ１２用の撮影窓２１ｂよりも下方に位置するように開閉扉２１に設けられ、撮影に関する所定の情報を表示するためのものである。
【００５１】
なお、撮影に関する情報は、ＬＣＤ表示部に表示されるとともに、ＬＣＤ表示部の下方に設けられたスピーカ２２を介して音声でユーザーに提供されてもよい。
【００５２】
また、記憶部１６は、システムプログラムの他、顔画像撮影処理プログラム、画像処理プログラム等の各種処理プログラム及び各プログラムで処理されたデータ等を記憶するようになっている。
【００５３】
そして、プリンタ１７は、制御部１１から入力された画像データに基づいてプリント出力を行う（すなわち、カメラ（撮影部）Ｃが取得した画像情報に対応する被写体画像をプリントする）ようになっている。
【００５４】
また、図３に示すＩ／Ｏユニット３１は、制御部１１と、スピーカ２２、課金設備２３、及びストロボユニットＳとの間で情報のやり取りを仲介するインターフェイスである。
【００５５】
このＩ／Ｏユニット３１は、制御部１１からの制御信号をスピーカ２２、課金設備２３、ストロボユニットＳに送信するとともに、スピーカ２２、課金設備２３、ストロボユニットＳからのステータス信号等を制御部１１に出力するようになっている。
【００５６】
そして、スピーカ２２は、Ｉ／Ｏユニット３１を介して制御部１１から入力されるガイド用アナウンスの音声信号を出力する。
【００５７】
また、図１に示すように、開閉扉２１の収納空間２０Ｂ側の面には、カメラ１２よりも上方に位置するように、ユーザーの前方位置に撮影用のストロボユニットＳが設けられている。さらに撮影空間２０Ａ内には座部２５に座っているユーザーの後方位置に光を照射するストロボユニットＳが設けられている。
【００５８】
ユーザーの前方および後方に設けられたストロボユニットＳは、制御部１１から指示された発光タイミング、発光量で同期して発光を行うようになっている。
【００５９】
次にこのような構成からなる本実施の形態の作用について説明する。
【００６０】
通常稼動中に被写体である図示しないユーザーが筐体２０内に入り、座部２５上に座る。ユーザーはモニタ１４の画面に沿ってモニタ１４を操作する。そしてユーザーが必要な料金を課金設備２３に投入することにより、カメラ１２により撮影が開始される。カメラ１２により撮影された画像は制御部１１へ送られ、プリンタ１７により写真印刷物が作製され、作製された写真印刷物は取出口２０Ｃから排出される。
【００６１】
このような通常稼動中、筐体２０内の開閉扉２１は閉となって、筐体２０内を撮影空間２０Ａと収納空間２０Ｂに区画している。
【００６２】
稼働時間が一定時間を超えると、作業者Ｐが筐体２０内に入り、まず開閉扉２１を開く（図２参照）。
【００６３】
この状態で作業者Ｐは、開閉扉２１の収納空間２０Ｂ側の面に取付けられている課金設備２３を開き、課金設備２３内の現金を必要な釣銭を残して回収する。このとき、作業台３８は支持レール３７の筐体２０の内壁２０ａ側にある。
【００６４】
次に作業者Ｐは撮影空間２０Ａの座部２５上に座り、開閉扉２１を開いたまま、筐体２０の内壁２０ａ側に引っ込んでいた作業台３８を支持レール３７に沿って走行させて手前へ引き出す。その後、作業者Ｐは座部２５上に座りながら、必要な書類等を作業台３８上に置き、この書類等に現金回収の記録を付けたり、作業台３８上で回収した現金をまとめる作業を行う。
【００６５】
現金回収作業が終了した後、座部２５に座る作業者Ｐは作業台３８を支持レール３７に沿って筐体２０の内壁２０ａ側へ押し出して元の位置まで戻す。次に開閉扉２１を元の位置まで回動する。
【００６６】
以上のように本実施の形態によれば、現金回収時に作業者Ｐは筐体２０内に入り、座部２５上に座って現金回収作業を実行することができ、筐体２０外方で現金を扱う場合に比べて、安全かつ安心して現金回収作業を実施することができる。また、現金回収作業の際、作業台３８を手前へ引き出し、この作業台３８上に書類を拡げて現金回収の記録を付けたり、現金の計算をすることができる。
【００６７】
このため現金回収作業に伴う書類への記帳、あるいは現金の計算作業を容易に行うことができる。
【００６８】
＜本発明の変形例＞
次に本発明の変形例について述べる。図１乃至図４に示す実施の形態において、筐体２０の収納空間２０Ｂに支持レール３７を設け、この支持レール３７上に作業台３８を走行自在に設けた例を示したが、これに限らず図５および図６に示すように収納空間２０Ｂ内の支柱３５に折り畳み自在の作業台４１を設けてもよい。作業台４１は支柱３５にヒンジ４１ａを介して回転自在に設けられ、作業台４１の下方には作業台４１を支持する支持レバー４２が取付けられている。
【００６９】
支持レバー４２は支柱３５に支持レバー４２の一端に設けられたヒンジ４２ａを介して回転自在に取付けられている。また支持レバー４２の他端には作業台４１に係合する係合部４２ｂが設けられている。
【００７０】
写真撮影装置１０の通常稼動時において、作業台４１はヒンジ４１ａを介して回動し、支柱３５側に折り畳まれる垂直方向位置をとる。このとき支持レバー４２もヒンジ４２ａを介して回動して支柱３５側へ折り畳まれる（図５参照）。
【００７１】
次に現金回収作業時において、作業台４１はヒンジ４１ａを介して回動して水平方向に延ばされる水平方向位置をとる。
【００７２】
この場合、支持レバー４２はヒンジ４２ａを介して回動し、支持レバー４２の係合部４２ｂが作業台４１に係合して、作業台４１を水平方向位置に保持する（図６参照）。
【００７３】
次に図７および図８により本発明の他の変形例について説明する。
【００７４】
図７および図８に示すように、収納空間２０Ｂにメディア収納ボックス１８が設けられ、このメディア収納ボックス１８には開口１８ａが形成されている。メディア収納ボックス１８の開口１８ａは、水平方向に回動する開平自在の蓋部１８ｂにより密閉される。
【００７５】
またメディア収納ボックス１８の開口１８ａに設けられた蓋部１８ｂにはキー１８ｃが取付けられている。
【００７６】
さらにメディア収納ボックス１８の開口１８ａに蓋部１８ｂを開とした状態で、図示しない走行レールに沿って水平方向に引き出し可能となる作業台１８Ａを設けてもよい。
【００７７】
写真撮影装置１０の通常稼動時において、作業台１８Ａはメディア収納ボックス１８内に引っ込んでいる（図７参照）。
【００７８】
次に現金回収作業時において、メディア収納ボックス１８の蓋部１８ｂが開となる。次にメディア収納ボックス１８内に収納されていた作業台１８Ａが図示しない走行レールに沿って引き出される（図８参照）。
【符号の説明】
【００７９】
１０  写真撮影装置
１１  制御部
１２  カメラ（撮影装置）
１３  検知センサ
１４  モニタ
１６  記憶部
１７  プリンタ
１８  メディア収納ボックス
１８Ａ  作業台
１８ａ  開口
１８ｂ  蓋部
２０  筐体
２０Ａ  撮影空間
２０Ｂ  収納空間
２０ｄ  内壁
２１  開閉扉
２１ａ  ヒンジ
２１ｂ  撮影窓
３１  Ｉ／Ｏ（Input/Output）ユニット
２２  スピーカ
２３  課金設備
３７  支持レール
３８  作業台
４１  作業台
４２  支持レバー
Ｓ  ストロボユニット
【図１】
2019056842.tif 000003
【図２】
2019056842.tif 000004
【図３】
2019056842.tif 000005
【図４】
2019056842.tif 000006
【図５】
2019056842.tif 000007
【図６】
2019056842.tif 000008
【図７】
2019056842.tif 000009
【図８】
2019056842.tif 000010